(57)【要約】【課題】無線通信機において、遠隔地においても非常用電源に切り替わったこと容易に判別することができる非常用電源使用時の通知方法を提供する。【解決手段】正常電源からの出力と非常時に通信環境確保のために設けられた非常用電源からの出力との何れか一方の出力を動作用電力とする無線通信機における非常用電源使用時の通知方法であって、非常用電源に切り替わったことを検出して、信号発生手段５７からの出力に基づき、前記無線通信機からの予め定めた特定電波の無線による送信により通知する。特定電波は無線通信機にごとに定めた電波であり、予め定めた期間にわたり送信する。【選択図】        図１
2005236820.tif 000002
【特許請求の範囲】
【請求項１】
正常電源からの出力と非常時に通信環境確保のために設けられた非常用電源からの出力との何れか一方の出力を動作用電力とする無線通信機における非常用電源使用時の通知方法であって、非常用電源に切り替わったことを前記無線通信機からの予め定めた特定電波の無線による送信により通知することを特徴とする非常用電源使用時の通知方法。
【請求項２】
請求項１記載の非常用電源使用時の通知方法において、特定電波は通常の交信電波に重畳して送信することを特徴とする非常用電源使用時の通知方法。
【請求項３】
請求項１記載の非常用電源使用時の通知方法において、特定電波は無線通信機ごとに個別に予め定めた特定電波であることを特徴とする非常用電源使用時の通知方法。
【請求項４】
請求項１記載の非常用電源使用時の通知方法において、特定電波は予め定めた期間送信することを特徴とする非常用電源使用時の通知方法。
【請求項５】
請求項１記載の非常用電源使用時の通知方法において、通常電源の電圧を検出する通常電源電圧測定手段を無線通信機に備えて、測定した通常電源の電圧が予め定めた閾値未満に低下したとき非常用電源に切り換えることを特徴とする非常用電源使用時の通知方法。
【請求項６】
請求項５記載の非常用電源使用時の通知方法において、閾値は無線通信機ごとに設定することを特徴とする非常用電源使用時の通知方法。
【発明の詳細な説明】
【技術分野】
【０００１】
本発明は無線通信機の非常用電源使用時の通知方法に関する。
【背景技術】
【０００２】
無線通信機において、モード切換指示キーからの指示に基づいて送受信部の機能が通常の無線通信モードとＤＴＭＦ符号列送信モードに切り換えられ、送受信部の機能がＤＴＭＦ符号列送信モードに切り換えられた状態において、各指示キーに対応させた機能が全指示キーの表示と対応して表示され、次いで指示キーが操作されると送受信部が送信状態に切り換えられ、操作された指示キーに対応して信号発生部から出力させたＤＴＭＦ符号列が送受信部から送信され、該ＤＴＭＦ符号列の送信終了により送受信部が受信状態に制御される無線通信機が知られている（例えば、特許文献１参照）。
【特許文献１】登録実用新案第２６００５３９号公報
【０００３】
このＤＴＭＦ符号列の受信をした無線通信機においてＤＴＭＦ符号列の内容に基づいて、例えば、電源を通常電源から非常用電源に切り換えたりすることが可能となる。
【０００４】
また一方、図６に示す如く通信路の途中に山などの障害物２０が存在するような場合、障害物２０を挟んで無線通信機２１と無線通信機２２との間で通話が行えない状態となる。このように直接電波が届かない場合に、その間に入り互いの交信を中継することを目的として使用される無線通信機であるレピータＢが設けられている。レピータＢは通常、ビルディングの屋上や山頂などの高い位置に設置され、中継できる範囲を広く確保するようにしている。
【０００５】
また、商用電源のように通常使用する電源（通常電源）１５の他に、非常時の通信環境の確保のため、レピータＢを動作させるために、図７に模式的に示すように、バッテリーなどの非常用電源１６を装備している場合が多い。そこで、レピータＢに電源として通常電源の他に非常用電源が接続できるように、２系統の電源接続端子がレピータＢに用意されている。この電源接続例では、通常電源１５から非常用電源１６に切り替わる間に若干の時間が発生する。そこで、図８に模式的に示すように、通常電源１５と非常用電源１６とを直列に接続する方法がとられたものもある。
【０００６】
従来のレピータＢの構成は図９に示す如くであり、その作用は図１０に示す如くであって、次に説明する。電源オン時マイクロコンピュータからなる制御回路５Ａは外部記憶装置７に予め記憶させてある受信周波数データを読み出し、受信周波数設定手段５２を介して受信手段２へ受信周波数データを出力して信号を受信できる状態に制御する（ステップＳ３０、Ｓ３１）。同様に外部記憶装置７に予め記憶させてある送信周波数データを読み出し、送信周波数設定手段５４を介して送信手段３へ送信周波数データを出力して信号を送信できる状態に制御する（ステップＳ３２、Ｓ３３）。
【０００７】
制御回路５Ａは電源種別判別手段６からの非常用電源を使用しているか否かの電源切換信号を電源種別検出手段５５で受けて（ステップＳ３４）、非常用電源が使用されていないと判別したときは通常電源使用と判別して表示設定手段５６から表示切換手段８を介して表示切換信号を送出して通常電源表示手段９に表示を行い、非常用電源が使用されていると判別したときは表示設定手段５６から表示切換手段８を介して表示切換信号を送出して非常用電源表示手段１０に表示を行う（ステップＳ３５、Ｓ３６）。
【０００８】
受信用アンテナ１を通じて受信手段２にて中継信号を受信したかを判別して中継信号を受信した場合、受信したことを示す受信検出信号を受信検出手段５１に送出し、受信検出手段５１にて受信が検出された場合、送信中か否かを判別し、送信中でないときは送信起動手段５３により送信起動信号を送信手段３に送り、受信手段２で受信した中継信号である音声信号を送信信号としてそのまま送信手段３に送り、アンテナ４を介して送信を開始する（ステップＳ３７、Ｓ３８、Ｓ３９）。受信検出手段５１にて受信が検出されない場合、送信中か否かを判別し、送信中のときは送信起動手段５３により送信終了処理を行う（ステップＳ３７、Ｓ４０、Ｓ４１）。
【発明の開示】
【発明が解決しようとする課題】
【０００９】
上記のように、通常電源使用時と非常用電源使用時との区別は、レピータ本体に設けられている電源表示によって判断することができるが、山頂にレピータが設置されているような場合には簡単にレピータ設置位置にまで行くことができず、通常電源設備が故障したりして非常用電源に切り替わっていることを調べることは容易ではないという問題点があった。
【００１０】
また、通常レピータは１台単体で使用されるような場合は少なく、複数台で構成されている場合も多い。そのため、どのレピ−タの電源が非常用電源に切り替わったのかを調べることは容易ではないという問題点の他、さらに設置場所が分散している場合、全てのレピータを廻って確認する必要があり、さらに電源設備を確認することは困難であるという問題点があった。
【００１１】
さらにまた、通常電源と非常用電源とが図８に示したように接続されている場合、レピータ側からみれば、通常電源が非常用電源使用時にも使用されているように見えるので、通常電源の設備に異常が発生して非常用電源を使用していることが判らないという問題点もあった。
【００１２】
本発明は、無線通信機において、遠隔地においても非常用電源に切り替わったこと容易に判別することができる非常用電源使用時の通知方法を提供することを目的とする。
【課題を解決するための手段】
【００１３】
本発明にかかる非常用電源使用時の通知方法は、正常電源からの出力と非常時に通信環境確保のために設けられた非常用電源からの出力との何れか一方の出力を動作用電力とする無線通信機における非常用電源使用時の通知方法であって、非常用電源に切り替わったことを前記無線通信機からの予め定めた特定電波の無線による送信により通知することを特徴とする。
【発明の効果】
【００１４】
本発明にかかる非常用電源使用時の通知方法によれば、非常用電源に切り替わったことが無線通信機からの予め定めた特定電波の無線による送信により通知されるため、遠隔地において特定電波をモニタすることによって、非常用電源が使用されていることが判ることになる。
【００１５】
本発明にかかる非常用電源使用時の通知方法において、特定電波は通常の交信電波に重畳して送信するようにしてもよく、このようにしても無線通信機による通常の交信の妨げとなることはない。特定電波は無線通信機ごとに個別に予め定めた特定電波であるようにしてもよく、このようにすることにより複数の無線通信機に対してもモニタすることができる。
【００１６】
請求項１記載の非常用電源使用時の通知方法において、特定電波は予め定めた期間送信するようにしてもよく、このようにしたときはモニタする期間が短縮できる。通常電源の電圧を検出する通常電源電圧測定手段を無線通信機に備えて、測定した通常電源の電圧が予め定めた閾値未満に低下したとき非常用電源に切り換えるようにしてもよく、非常用電源への切換が閾値に基づいて行える。閾値は無線通信機ごとに設定するようにしてもよい。
【発明を実施するための最良の形態】
【００１７】
以下、本発明にかかる非常用電源使用時の通知方法を実施の一形態によって説明する。
【００１８】
図１および図２は本発明の実施の一形態にかかる非常用電源使用時の通知方法が適用されるレピータの構成を示すブロック図と作用の説明に供するフローチャートである。
【００１９】
図１に示すレピータＡにおいて、図９に示したレピータと同一構成要素には同一の符号を付して示してある。レピータＡの制御回路５は、レピータＢの制御回路５Ａにさらに非常用電源使用のとき非常用電源使用信号を発生し送信手段３へ出力する信号発生手段５７と、通常電源の電圧を受けて通常電源の電圧を測定する通常電源電圧測定手段５８を備えている。その他の構成はレピータＢと同一の構成である。
【００２０】
電源オン時マイクロコンピュータからなる制御回路５は外部記憶装置７に予め記憶させてある受信周波数データを読み出し、受信周波数設定手段５２を介して受信手段２へ周波数データを出力して信号を受信できる状態に制御する（ステップＳ１、Ｓ２）。同様に外部記憶装置７に予め記憶させてある送信周波数データを読み出し、送信周波数設定手段５４を介して送信手段３へ送信周波数データを出力して信号を送信できる状態に制御する（ステップＳ３、Ｓ４）。
【００２１】
ステップＳ４に続いて、非常用電源使用時の信号条件を外部記憶装置７から読み出す（ステップＳ６）。信号条件には、非常用電源使用時に送信させる後記の非常用電源使用信号に基づく特定電波の情報、特定電波の送信期間、非常用電源に切り換えるための通常電源電圧の閾値などの情報が含まれており、これらはレピータに対応して異ならせてある。
【００２２】
制御回路５は電源種別判別手段６から非常用電源を使用しているかの電源切換信号を電源種別検出手段５５で受けて（ステップＳ７）、非常用電源が使用されていないと判別したときは通常電源で使用されていると判断して、通常電源電圧を通常電源電圧測定手段５８にて測定することによりチェックをする（ステップＳ８）。ステップＳ８におけるチェックの結果通常電源電圧が閾値以上か否かを判別し、通常電源の電圧が閾値以上のときは通常電源が正常に動作していると判断して、表示設定手段５６から表示切換手段８を介して表示切換信号を送出して通常電源表示手段９に表示を行う（ステップＳ９、Ｓ１０）。
【００２３】
ステップＳ７において非常用電源が使用されていると判別したときは表示設定手段５６から表示切換手段８を介して表示切換信号を送出して非常用電源表示手段１０に表示を行い、ステップＳ９において通常電源の電圧が閾値未満のときは非常用電源に切り替わったと判断して、表示設定手段５６から表示切換手段８を介して非常用電源表示手段１０に表示を行う（ステップＳ１１）。
【００２４】
次いで、受信用アンテナ１を通じて受信手段２に中継信号を受信したかを判別して中継信号を受信した場合、受信したことを示す受信検出信号を受信検出手段５１に送出し、受信検出手段５１にて受信が検出された場合、送信中か否かを判別し、送信中でないときは送信起動手段５３により送信起動信号を送信手段３に送り、受信手段２で受信した音声信号を送信信号としてそのまま送信手段３に送り、アンテナ４を介して送信を開始する（ステップＳ１２、Ｓ１３、Ｓ１４）。送信中のときは送信を継続する（ステップＳ１２、Ｓ１３）。
【００２５】
続いて、非常用電源が使用中か否かがチェックされ、リピータＡが非常用電源で動作中、すなわち非常用電源が使用中であると判別されたときは、信号発生手段５７から非常用電源使用信号が予め定めた期間にわたり送信手段３に送出され、送信手段３から非常用電源使用信号に基づく特定電波を予め定めた期間にわたり送信する（ステップＳ１５、Ｓ１６）。したがって、受信手段２から出力される中継の音声信号に非常用電源使用信号に基づく特定電波が予め定めた期間にわたり重畳して送信されることになる。
【００２６】
ステップＳ１５において非常用電源が使用されていないと判別されたとき、ステップＳ１６において非常用電源使用信号送出を開始したとき、ステップＳ７から繰り返して実行される（ステップＳ１５、Ｓ１７、Ｓ７）。
【００２７】
ステップＳ１２において、受信検出手段５１にて受信が検出されない場合、送信中か否かを判別し、送信中のときは送信起動手段５３により送信終了処理を行い（ステップＳ１２、Ｓ１７、Ｓ１８）、次いで、信号発生手段５７から非常用電源使用信号が送信手段３に送出されているときは、非常用電源使用信号送出が停止され、送信手段３から非常用電源使用信号の送信が停止される（ステップＳ１９、Ｓ２０）。ステップＳ１９において非常用電源使用信号が送出されていないとき、非常用電源使用信号送出停止されたとき、ステップＳ７から繰り返して実行される（ステップＳ１９、Ｓ２０、Ｓ７）。
【００２８】
ステップＳ１７において送信中でないと判別されて一定期間以上の期間にわたり送信していないと判別されたときは、非常用電源使用中か否かがチェックされ、使用中のときは送信起動処理がなされて、非常用電源使用信号送出が開始される（ステップＳ２１、Ｓ２２、Ｓ２３、Ｓ２４）。次いで、予め定めた所定期間経過時に非常用電源使用信号送出停止処理がされ、続いて送信終了処理がされる（ステップＳ２５、Ｓ２６）。したがって、送信が一定期間なされず、かつ非常用電源が使用中のときには、予め定めた所定期間の間だけ非常用電源使用信号が送出されて、非常用電源使用信号に基づく特定電波のみが予め定めた所定期間にわたり送信されることになる。
【００２９】
ステップＳ２１において一定期間送信をしていないと判別されないとき、ステップＳ２２において非常用電源が使用中でないと判別されたとき、ステップＳ２６において送信終了処理がなされたときは、ステップＳ７から繰り返して実行される。
【００３０】
この場合に、非常用電源使用信号は、中継音声信号と混信しない特定の信号であればよく、可聴連続信号であっても、信号のパターンや信号周波数を変えるものであってもよい。また非常用電源使用信号は、複数のレピータに対応させた信号やパターンの信号であってもよい。さらに、一定時間ごとに送信期間を変更するようにしてもよい。非常用電源使用信号は、中継信号に重畳することができる信号ならば、ＤＴＭＦ符号系列やＭＳＫ変調信号であってもよい。
【００３１】
このように、以上説明したように、本発明の実施の一形態にかかる非常用電源使用時の通知方法によれば、非常用電源使用中であることを示す特定電波が無線によって送信されるために、図４に示すように、無線通信機２１と無線通信機２２とにより交信中であっても、交信の支障にならず、遠隔地においてレピータを無線通信機２３によって特定電波をモニタしている管理者が、レピータにおいて非常用電源に切り換えられたか否かがが非常用電源使用信号に基づく特定電波の受信によって遠隔の場所においても容易に判ることになる。
【００３２】
この場合に、非常用電源使用信号は交信中の信号に影響を与えない信号が選択されているため、交信中の人には影響を与えることはない。また、複数のレピータについてもそれぞれのレピータに対応して別々の識別可能な特定電波を用いることにより、レピータごとに非常用電源が使用中か否かを管理者は知ることができる。さらにまた、長期間にわたり送信が行われていないときにおいても、非常用電源に切り替わっているときは、非常用電源使用中であることが管理者に判ることになる。
【００３３】
また、通常電源の電圧を測定し、図５に示すように、通常電源の測定電圧が閾値以上であるか否かによって非常用電源の使用か否かを判別したため、レピータの動作に影響を与えない範囲で異なる値の閾値に設定しておくことにより、それぞれのレピータにおける非常用電源の使用状態を知ることもできる。
【図面の簡単な説明】
【００３４】
【図１】本発明の実施の一形態にかかる非常用電源使用時の通知方法が適用されるレピータの構成を示すブロック図である。
【図２】本発明の実施の一形態にかかる非常用電源使用時の通知方法が適用されるレピータの作用の説明に供するフローチャートである。
【図３】本発明の実施の一形態にかかる非常用電源使用時の通知方法が適用されるレピータの作用の説明に供するフローチャートである。
【図４】本発明の実施の一形態にかかる非常用電源使用時の通知方法の作用の説明に供する模式図である。
【図５】本発明の実施の一形態にかかる非常用電源使用時の通知方法における閾値の説明図である。
【図６】レピータの作用の説明に供する模式図である。
【図７】レピータの電源についての模式説明図である。
【図８】レピータの電源についての他の模式説明図である。
【図９】従来のレピータの構成を示すブロック図である。
【図１０】図９に示したレピータの作用の説明に供するフローチャートである。
【符号の説明】
【００３５】
ＡおよびＢ  レピータ
２  受信手段
３  送信手段
５および５Ａ  制御装置
６  電源種別判別手段
５７  非常用電源使用信号
５８  通常電源電圧測定手段
【図１】
2005236820.tif 000003
【図２】
2005236820.tif 000004
【図３】
2005236820.tif 000005
【図４】
2005236820.tif 000006
【図５】
2005236820.tif 000007
【図６】
2005236820.tif 000008
【図７】
2005236820.tif 000009
【図８】
2005236820.tif 000010
【図９】
2005236820.tif 000011
【図１０】
2005236820.tif 000012